(57)【特許請求の範囲】
【請求項１】
複数の放送局の番組情報を取得する取得モジュールと、
メモリに記憶した複数のリモートコントロールキーＩＤに割当てられている第１グループの複数の放送局と、前記第１グループの複数の放送局に続けて並べられ前記複数のリモートコントロールキーＩＤに割当てられていない第２グループの少なくとも１つの放送局と、のローテーションのパターンを管理する管理モジュールと、
前記第１グループの前記複数の放送局が優先的に抽出されるよう、前記パターンから、選択されている放送局を含む連続して並んだ複数の放送局を抽出し、前記取得モジュールで取得した番組情報を基に、前記抽出した複数の放送局の番組表を作成する番組表作成モジュールと、を備えることを特徴とする放送受信装置。
【請求項２】
前記管理モジュールは、前記第１グループの前記複数の放送局が前記複数のリモートコントロールキーＩＤの番号順に並べられている前記パターンを管理することを特徴とする請求項１に記載の放送受信装置。
【請求項３】
前記番組表作成モジュールは、前記番組表に配列できる放送局の数より前記第１グループの複数の放送局の数が多いと判断した際、前記パターンから、前記選択されている前記第１グループの放送局を含む前記第１グループの複数の放送局のみを抽出し、前記番組表を作成することを特徴とする請求項１に記載の放送受信装置。
【請求項４】
前記番組表作成モジュールは、前記選択されている放送局を前記番組表の中央に配列すると仮定した場合に前記第１グループの複数の放送局のみを前記番組表に配列できるとさらに判断した際、前記パターンから、前記選択されている放送局を中心に設定して前記第１グループの複数の放送局のみを抽出し、前記番組表を作成することを特徴とする請求項３に記載の放送受信装置。
【請求項５】
前記番組表作成モジュールは、前記選択されている放送局を前記番組表の中央に配列すると仮定した場合に前記第１グループの複数の放送局だけでなく前記第２グループの少なくとも１つの放送局も前記番組表に配列できるとさらに判断した際、前記パターンから、最も大きい番号又は最も小さい番号のリモートコントロールキーＩＤに割当てられている放送局を端に設定して前記第１グループの複数の放送局のみを抽出し、前記番組表を作成することを特徴とする請求項３に記載の放送受信装置。
【請求項６】
前記番組表作成モジュールは、前記選択されている前記第２グループの放送局を前記番組表の端に配列すると仮定した場合に前記第２グループの少なくとも１つの放送局だけでなく前記第１グループの少なくとも１つの放送局も前記番組表に配列できるとさらに判断した際、前記パターンから、前記選択されている放送局を端に設定して前記第２グループの少なくとも１つの放送局と、前記第１グループの少なくとも１つの放送局とを抽出し、前記番組表を作成することを特徴とする請求項１に記載の放送受信装置。
【請求項７】
前記番組表作成モジュールが作成した番組表を表示する表示器をさらに備えていることを特徴とする請求項１に記載の放送受信装置。
【請求項８】
前記管理モジュールは、規格の推奨の順番で並べられている前記複数の放送局のローテーションの他のパターンをさらに管理することを特徴とする請求項１に記載の放送受信装置。
【請求項９】
メモリに記憶した複数のリモートコントロールキーＩＤに割当てられている第１グループの複数の放送局と、前記第１グループの複数の放送局に続けて並べられ前記複数のリモートコントロールキーＩＤに割当てられていない第２グループの少なくとも１つの放送局と、のローテーションのパターンを管理し、
前記第１グループの前記複数の放送局が優先的に抽出されるよう、前記パターンから、選択されている放送局を含む連続して並んだ複数の放送局を抽出し、
取得モジュールで取得した複数の放送局の番組情報を基に、前記抽出した複数の放送局の番組表を作成することを特徴とする番組表作成方法。
【発明の詳細な説明】
【技術分野】
【０００１】
本発明の実施形態は、放送受信装置及び番組表作成方法に関する。
【背景技術】
【０００２】
近年、デジタルテレビ放送信号を受信し、受信したデジタルテレビ放送信号に基づく番組を記録したり、再生したりすることが可能な放送受信装置が普及している。例えば、放送受信装置は、ＨＤＤ又はＤＶＤを使ってデジタルテレビ放送信号に基づく番組を録画することができる。
【０００３】
また、放送受信装置は、デジタルテレビ放送信号からサービス情報を取得し、このサービス情報に基づき番組表の表示を制御することができる。例えば、放送受信装置は、複数チャンネルの数時間分の番組表を表示することができる。このような番組表は、電子番組案内（ＥＰＧ）と呼ばれている。
【先行技術文献】
【特許文献】
【０００４】
【特許文献１】特開２００９−１１１８６３号公報
【特許文献２】特開平１１−２９８８１５号公報
【発明の概要】
【発明が解決しようとする課題】
【０００５】
放送中の番組の視聴中に番組表を表示する場合、視聴中の番組を放送する放送局が番組表の中央に配列される。なお、一般に、番組表の複数の放送局は、規格の推奨の順番で並べられている。
【０００６】
ところで、上記の場合、リモートコントロールキーＩＤ（IDentification）に割当てられている放送局を優先的に番組表に配列させることはできない。そこで、リモートコントロールキーＩＤに割当てられている放送局を優先的に番組表に配列させることができる技術が求められている。  
この発明は以上の点に鑑みなされたもので、その目的は、リモートコントロールキーＩＤに割当てられている放送局を優先的に番組表に配列させることができる放送受信装置及び番組表作成方法を提供することにある。
【課題を解決するための手段】
【０００７】
上記課題を解決するため、本発明の態様に係る放送受信装置は、
複数の放送局の番組情報を受信するチューナと、
メモリに記憶した複数のリモートコントロールキーＩＤに割当てられている第１グループの複数の放送局と、前記第１グループの複数の放送局に続けて並べられ前記複数のリモートコントロールキーＩＤに割当てられていない第２グループの少なくとも１つの放送局と、のローテーションのパターンを管理する管理モジュールと、
前記第１グループの前記複数の放送局が優先的に抽出されるよう、前記パターンから、選択されている放送局を含む連続して並んだ複数の放送局を抽出し、前記チューナで受信した番組情報を基に、前記抽出した複数の放送局の番組表を作成する番組表作成モジュールと、を備えることを特徴としている。
【０００８】
また、本発明の他の態様に係る番組表作成方法は、
メモリに記憶した複数のリモートコントロールキーＩＤに割当てられている第１グループの複数の放送局と、前記第１グループの複数の放送局に続けて並べられ前記複数のリモートコントロールキーＩＤに割当てられていない第２グループの少なくとも１つの放送局と、のローテーションのパターンを管理し、
前記第１グループの前記複数の放送局が優先的に抽出されるよう、前記パターンから、選択されている放送局を含む連続して並んだ複数の放送局を抽出し、
チューナで受信した複数の放送局の番組情報を基に、前記抽出した複数の放送局の番組表を作成することを特徴としている。
【図面の簡単な説明】
【０００９】
【図１】一実施形態に係るテレビジョン受像機を示す概略構成図である。
【図２】上記テレビジョン受像機に用いられるリモートコントローラの外観を示す図である。
【図３】上記テレビジョン受像機の管理モジュールが管理しているパターンを示す概念図である。
【図４】上記テレビジョン受像機の管理モジュールが管理している他のパターンを示す概念図である。
【図５】上記テレビジョン受像機を用いた上記実施形態に係る番組表作成方法を説明するためのフローチャートである。
【図６】図５に続く、上記番組表作成方法を説明するためのフローチャートである。
【図７】図５に続く、上記番組表作成方法を説明するための他のフローチャートである。
【図８】図５に続く、上記番組表作成方法を説明するための他のフローチャートである。
【図９】上記テレビジョン受像機による番組表の例を示す概略図である。
【図１０】上記テレビジョン受像機による番組表の他の例を示す概略図である。
【図１１】上記テレビジョン受像機による番組表の他の例を示す概略図である。
【図１２】上記テレビジョン受像機による番組表の他の例を示す概略図である。
【図１３】管理モジュールが管理しているパターンの変形例を示す概念図である。
【発明を実施するための形態】
【００１０】
以下、図面を参照しながら一実施形態について説明する。この実施形態において、放送受信装置としてのテレビジョン受像機及び番組表作成方法を開示している。図１は、テレビジョン受像機１の主要な信号処理系を示している。図２は、リモートコントローラ１７の外観を示している。
【００１１】
図１に示すように、ＢＳ（Broadcasting Satellite）／ＣＳ（Communication Satellite）デジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。
【００１２】
チューナ４９で選局された放送信号は、ＰＳＫ（Phase Shift Keying）復調モジュール５０に供給されて、デジタルの映像信号及び音声信号に復調された後、信号処理モジュール５１に出力される。
【００１３】
また、地上波放送受信用のアンテナ５２で受信した地上デジタルテレビジョン放送信号は、入力端子５３を介して地上デジタル放送用のチューナ５４に供給されることにより、所望のチャンネルの放送信号が選局される。
【００１４】
チューナ５４で選局された放送信号は、ＯＦＤＭ（Orthogonal Frequency Division Multiplexing）復調モジュール５５に供給されて、デジタルの映像信号及び音声信号に復調された後、信号処理モジュール５１に出力される。
【００１５】
また、地上波放送受信用のアンテナ５２で受信した地上アナログテレビジョン放送信号は、入力端子５３を介して地上アナログ放送用のアナログチューナ５６に供給されることにより、所望のチャンネルの放送信号が選局される。
【００１６】
アナログチューナ５６で選局された放送信号は、アナログ復調モジュール５７に供給されてアナログの映像信号及び音声信号に復調された後、信号処理モジュール５１に出力される。
【００１７】
ここで、信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００１８】
また、信号処理モジュール５１には、複数（図示の場合は４つ）の入力端子６０ａ、６０ｂ、６０ｃ、６０ｄが接続されている。これら入力端子６０ａ乃至６０ｄは、それぞれ、アナログの映像信号及び音声信号を、テレビジョン受像機１の外部から入力可能とするものである。
【００１９】
信号処理モジュール５１は、アナログ復調モジュール５７及び各入力端子６０ａ乃至６０ｄからそれぞれ供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００２０】
このうち、グラフィック処理モジュール５８は、信号処理モジュール５１から供給されるデジタルの映像信号に、ＯＳＤ（On Screen Display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力をそれぞれ画面の半分を構成するように組み合わせて出力することができる。
【００２１】
グラフィック処理モジュール５８から出力されたデジタルの映像信号は、映像処理モジュール６２に供給される。映像処理モジュール６２により処理された映像信号は、表示器１４に供給され、また出力端子６３にも供給される。表示器１４は、映像信号に基づく映像を表示し、出力端子６３に対して外部機器が接続されると、出力端子６３に供給された映像信号は、外部機器へ入力される。
【００２２】
音声処理モジュール５９は、入力されたデジタルの音声信号を、スピーカ１５で再生可能なフォーマットのアナログ音声信号に変換した後、スピーカ１５に出力して音声再生させるとともに、出力端子６４を介して外部に導出させる。
【００２３】
ここで、テレビジョン受像機１は、上記した各種の受信動作を含むその全ての動作を制御モジュール６５によって統括的に制御されている。制御モジュール６５は、ＣＰＵ（Central Processing Unit）等を内蔵している。操作モジュール１６からの操作情報を受けたとき、または、リモートコントローラ１７から送出され受光モジュール１８を介して受信した操作情報を受けたとき、制御モジュール６５は、その操作内容が反映されるように各モジュールをそれぞれ制御している。
【００２４】
この場合、制御モジュール６５は、主として、そのＣＰＵが実行する制御プログラムを格納したＲＯＭ（Read Only Memory）６６と、該ＣＰＵに作業エリアを提供するＲＡＭ（Random Access Memory）６７と、各種の設定情報及び制御情報等が格納される不揮発性メモリ６８とを利用している。さらに、制御モジュール６５は、管理モジュール７６及び番組表作成モジュール７７を利用している。
【００２５】
制御モジュール６５は、カードＩ／Ｆ（Interface）８１を介して、メモリカード１９が装着可能なカードホルダ８２に接続されている。これによって、制御モジュール６５は、カードホルダ８２に装着されたメモリカード１９と、カードＩ／Ｆ８１を介して情報伝送を行なうことができる。図示しないが、制御モジュール６５は、他のカードＩ／Ｆを介して、他のメモリカードが装着可能な他のカードホルダに接続されてもよい。
【００２６】
制御モジュール６５は、フォトセンサ８３に接続されている。フォトセンサ８３は、テレビジョン受像機１が配置されている環境の光の照度を検出することができる。このため、例えば制御モジュール６５は、フォトセンサ８３で検出した情報に基づいて表示器１４に表示する映像の輝度レベルを調整することができる。
【００２７】
制御モジュール６５は、通信Ｉ／Ｆ８５を介してＬＡＮ端子２１と接続されている。これにより、制御モジュール６５は、ＬＡＮ端子２１に接続されたＬＡＮ対応機器と、通信Ｉ／Ｆ８５を介して情報伝送を行なうことができる。この場合、制御モジュール６５は、ＤＨＣＰ（Dynamic Host Configuration Protocol）サーバ機能を有し、ＬＡＮ端子２１に接続されたＬＡＮ対応機器にＩＰ（Internet Protocol）アドレスを割り当てて制御している。
【００２８】
制御モジュール６５は、ＵＳＢ（Universal Serial Bus） Ｉ／Ｆ８６を介してＵＳＢ端子２４と接続されている。これにより、制御モジュール６５は、ＵＳＢ端子２４に接続されたＵＳＢ対応機器と、ＵＳＢ Ｉ／Ｆ８６を介して情報伝送を行なうことができる。ＵＳＢ対応機器としては、例えばＵＳＢ−ＨＤＤ（Hard Disk Drive）１０２が挙げられる。
【００２９】
制御モジュール６５は、ＨＤＭＩ（High Definition Multimedia Interface）規格に準拠したＨＤＭＩ Ｉ／Ｆ８７を介してＨＤＭＩ端子２６と接続されている。これにより、制御モジュール６５は、ＨＤＭＩ端子２６に接続されたＨＤＭＩ対応機器と、ＨＤＭＩ Ｉ／Ｆ８７を介して情報伝送を行なうことができる。
【００３０】
上述したチューナ４９、ＰＳＫ復調モジュール５０、信号処理モジュール５１、チューナ５４及びＯＦＤＭ復調モジュール５５は、アンテナ４７、５２で受信可能な複数の放送局の番組情報を取得する取得モジュール７５としても機能している。
【００３１】
管理モジュール７６は、不揮発性メモリ６８に記憶した複数のリモートコントロールキーＩＤに割当てられている第１グループの複数の放送局と、上記複数のリモートコントロールキーＩＤに割当てられていない第２グループの少なくとも１つの放送局と、のローテーションのパターンを管理する。上記パターンにおいて、第２グループの少なくとも１つの放送局は、第１グループの複数の放送局に続けて並べられている。
【００３２】
番組表作成モジュール７７は、第１グループの複数の放送局が優先的に抽出されるよう、上記パターンから、選択されている放送局を含む連続して並んだ複数の放送局を抽出する。そして、番組表作成モジュール７７は、取得モジュール７５で取得した番組情報を基に、上記抽出した複数の放送局の番組表を作成する。
【００３３】
制御モジュール６５は、番組表作成モジュール７７が作成した番組表の情報を、映像処理モジュール６２を介して表示器１４に出力することにより、上記番組表を表示器１４に表示することができる。
【００３４】
図２に示すように、リモートコントローラ１７には、主として、電源スイッチ１７ａ、入力切換ボタン１７ｂ、地上デジタル放送番組を選択するためのダイレクト選択ボタン１７ｃ、ＢＳ放送番組を選択するためのダイレクト選択ボタン１７ｄ、ＣＳ放送番組を選択するためのダイレクト選択ボタン１７ｅ、各種の放送番組を選択するための複数の番号キー１７ｆ、チャンネルアップダウンボタン１７ｇ、音量調整ボタン１７ｈ、クイックボタン１７ｑ、ＥＰＧ（Electronic Program Guide）にアクセスするためのＥＰＧボタン１７ｉ、リンクボタン１７ｊ、カーソルキー１７ｋ、決定ボタン１７ｌ、戻るボタン１７ｍ、終了ボタン１７ｎ、青、赤、緑、黄のカラーキー１７ｏ、ＥＰＧボタン１７ｙ、等が設けられている。
【００３５】
その他、リモートコントローラ１７には、地上アナログ放送番組を選択するためのダイレクト選択ボタン１７ｖ、３桁チャンネル番号入力ボタン１７ｗ、設定メニューボタン１７ｘ等が設けられている。
【００３６】
ユーザがＥＰＧボタン１７ｉを押すことにより、表示器１４に、例えば複数の放送局の６時間分の番組を表示することができる。ユーザがＥＰＧボタン１７ｙを押すことにより、表示器１４に、例えば複数の放送局の２時間分の番組を表示することができる。番組表作成モジュール７７は、ユーザがＥＰＧボタン１７ｉ、１７ｙを押した際、管理モジュール７６が管理するパターンから複数の放送局を抽出して番組表を作成するものである。
【００３７】
この実施形態において、各番組表に一度に配列できる放送局のチャンネルの数は７つである。このため、放送局が、チャンネルをそれぞれ１つずつ有している場合、各番組表に一度に７つの放送局を配列することができる。
【００３８】
次に、上記管理モジュール７６について説明する。管理モジュール７６は、１つ以上のパターンを管理している。詳しくは、管理モジュール７６は、ＢＳデジタルテレビジョン放送、ＣＳデジタルテレビジョン放送及び地上デジタルテレビジョン放送といった放送の種類毎に、１つ以上のパターンを管理している。
【００３９】
図３は、管理モジュール７６が管理しているパターンを示す概念図である。図３に示すように、管理モジュール７６は、例えばパターンＰ１を管理している。管理モジュール７６は、不揮発性メモリ６８に記憶した複数のリモートコントロールキーＩＤに割当てられている第１グループＧ１の１２の放送局と、上記複数のリモートコントロールキーＩＤに割当てられていない第２グループＧ２の３つの放送局と、のローテーションのパターンを管理する。
【００４０】
図３において、１行目に放送局名を、２行目に３桁チャンネル番号（サービスＩＤ）を、３行目にリモートコントロールキーＩＤを、それぞれ示している。行方向に、第１グループＧ１のＡ、Ｂ、Ｃ、Ｄ、Ｅ、Ｆ、Ｇ、Ｈ、Ｉ、Ｊ、Ｋ及びＬの放送局が順に並べられている。また、行方向に、第２グループＧ２のＭ、Ｎ及びＯの放送局が順に並べられている。各放送局の３桁チャンネル番号及びリモートコントロールキーＩＤは、放送局と同列に記載されている通りである。
【００４１】
パターンＰ１において、１２のリモートコントロールキーＩＤ全てに放送局が割当てられている。第１グループＧ１の１２の放送局は、複数のリモートコントロールキーＩＤの番号順に並べられている。詳しくは、第１グループＧ１の１２の放送局は、リモートコントロールキーＩＤの番号の小さい方から順に並べられている。第２グループＧ２の３つの放送局は、３桁チャンネル番号の順に並べられている。詳しくは、第２グループＧ２の３つの放送局は、３桁チャンネル番号の小さい方から順に並べられている。
【００４２】
第２グループＧ２のＭ放送局は、第１グループＧ１のＬ放送局に続けて並べられている。第１グループＧ１のＡ放送局は、第２グループＧ２のＯ放送局に続けて並べられている。第２グループＧ２の放送局は、第１グループＧ１の放送局にループし、逆もまた同様である。
【００４３】
図４は、管理モジュール７６が管理している他のパターンを示す概念図である。図４に示すように、管理モジュール７６は、例えばパターンＰ２を管理している。管理モジュール７６は、不揮発性メモリ６８に記憶した複数のリモートコントロールキーＩＤに割当てられている第１グループＧ１の８つの放送局と、上記複数のリモートコントロールキーＩＤに割当てられていない第２グループＧ２の７つの放送局と、のローテーションのパターンを管理する。
【００４４】
図３と同様、図４においても、１行目に放送局名を、２行目に３桁チャンネル番号を、３行目にリモートコントロールキーＩＤを、それぞれ示している。行方向に、第１グループＧ１のＡ、Ｂ、Ｄ、Ｅ、Ｆ、Ｇ、Ｈ及びＩの放送局が順に並べられている。また、行方向に、第２グループＧ２のＭ、Ｃ、Ｋ、Ｌ、Ｎ、Ｏ及びＪの放送局が順に並べられている。各放送局の３桁チャンネル番号及びリモートコントロールキーＩＤは、放送局と同列に記載されている通りである。
【００４５】
パターンＰ２において、リモートコントロールキーＩＤの１番、２番、４番乃至９番には放送局が割当てられ、リモートコントロールキーＩＤの３番、１０番乃至１２番には放送局が割当てられていない。
【００４６】
第１グループＧ１の８つの放送局は、複数のリモートコントロールキーＩＤの番号順に並べられている。詳しくは、第１グループＧ１の８つの放送局は、リモートコントロールキーＩＤの番号の小さい方から順に並べられている。第２グループＧ２の７つの放送局は、３桁チャンネル番号の順に並べられている。詳しくは、第２グループＧ２の７つの放送局は、３桁チャンネル番号の小さい方から順に並べられている。
【００４７】
第２グループＧ２のＭ放送局は、第１グループＧ１のＩ放送局に続けて並べられている。第１グループＧ１のＡ放送局は、第２グループＧ２のＪ放送局に続けて並べられている。第２グループＧ２の放送局は、第１グループＧ１の放送局にループし、逆もまた同様である。
【００４８】
次に、上述したテレビジョン受像機１を用いた番組表作成方法について説明する。  
図１及び図５に示すように、放送局の番組が選択されている状態、すなわち放送局のチャンネルを選択している状態において、表示器１４に番組表を表示するための番組表作成モジュール７７による制御がスタートすると、まず、ステップＳ１において、番組表作成モジュール７７は、選択されている放送局が上記第１グループＧ１であるのかどうか判断する。
【００４９】
選択されている放送局が上記第１グループＧ１である場合（ステップＳ１）、ステップＳ２に移行し、ステップＳ２において、番組表作成モジュール７７は、番組表に配列できる放送局の数より第１グループＧ１の放送局の数が多いのかどうか判断する。この実施形態において、番組表作成モジュール７７は、第１グループＧ１の放送局の数が８つ以上であるのかどうか判断する。
【００５０】
番組表に配列できる放送局の数より第１グループＧ１の放送局の数が多い場合（ステップＳ２）、ステップＳ３に移行し、ステップＳ３において、番組表作成モジュール７７は、選択されている放送局を番組表の中央に配列すると仮定した場合、第１グループＧ１の放送局のみを番組表に配列できるのかどうか判断する。
【００５１】
選択されている放送局を番組表の中央に配列して第１グループＧ１の放送局のみを番組表に配列できる場合（ステップＳ３）、ステップＳ４に移行し、ステップＳ４において、番組表作成モジュール７７は、管理モジュール７６のパターンから、選択されている放送局を中心に設定して第１グループＧ１の放送局のみを抽出する。
【００５２】
次いで、ステップＳ５において、番組表作成モジュール７７は、取得モジュール７５で取得した番組情報を基に、抽出した放送局の番組表を作成し、番組表を作成するための番組表作成モジュール７７の制御は終了する。
【００５３】
選択されている放送局を番組表の中央に配列して第１グループＧ１の放送局のみを番組表に配列できない場合（ステップＳ３）、図１及び図６に示すように、ステップＳ６に移行する。ここで、選択されている放送局が割当てられているリモートコントロールキーＩＤの番号を基準番号とする。
【００５４】
ステップＳ６において、番組表作成モジュール７７は、上記基準番号より大きい番号のリモートコントロールキーＩＤ群に割当てられている放送局の数より、上記基準番号より小さい番号のリモートコントロールキーＩＤ群に割当てられている放送局の数が多いのかどうか判断する。
【００５５】
上記基準番号より大きい番号のリモートコントロールキーＩＤ群に割当てられている放送局の数より、上記基準番号より小さい番号のリモートコントロールキーＩＤ群に割当てられている放送局の数が多い場合（ステップＳ６）、ステップＳ７に移行し、ステップＳ７において、番組表作成モジュール７７は、管理モジュール７６のパターンから、最も大きい番号のリモートコントロールキーＩＤに割当てられている放送局を端に設定して第１グループＧ１の放送局のみを抽出し、ステップＳ５に移行する。
【００５６】
上記基準番号より大きい番号のリモートコントロールキーＩＤ群に割当てられている放送局の数より、上記基準番号より小さい番号のリモートコントロールキーＩＤ群に割当てられている放送局の数が多くない場合（ステップＳ６）、ステップＳ８に移行し、ステップＳ８において、番組表作成モジュール７７は、管理モジュール７６のパターンから、最も小さい番号のリモートコントロールキーＩＤに割当てられている放送局を端に設定して第１グループＧ１の放送局のみを抽出し、ステップＳ５に移行する。
【００５７】
図１及び図５に示すように、番組表に配列できる放送局の数より第１グループＧ１の放送局の数が多くない場合（ステップＳ２）、図１及び図７に示すように、ステップＳ９に移行し、ステップＳ９において、番組表作成モジュール７７は、番組表に配列できる放送局の数が第１グループＧ１の放送局の数と同一であるのかどうか判断する。
【００５８】
番組表に配列できる放送局の数が第１グループＧ１の放送局の数と同一である場合（ステップＳ９）、ステップＳ１０に移行し、ステップＳ１０において、番組表作成モジュール７７は、管理モジュール７６のパターンから、選択されている放送局を含む第１グループＧ１の全ての放送局を抽出し、ステップＳ５に移行する。
【００５９】
番組表に配列できる放送局の数が第１グループＧ１の放送局の数と同一でない場合（ステップＳ９）、ステップＳ１１に移行し、ステップＳ１１において、番組表作成モジュール７７は、管理モジュール７６のパターンから、選択されている放送局を含む第１グループＧ１の全ての放送局と、リモートコントロールキーＩＤに割当てられていない第２グループＧ２の少なくとも１つの放送局と、を抽出し、ステップＳ５に移行する。
【００６０】
図１及び図５に示すように、選択されている放送局が上記第１グループＧ１でない場合（ステップＳ１）、すなわち選択されている放送局が上記第２グループＧ２である場合、図１及び図８に示すように、ステップＳ１２に移行し、ステップＳ１２において、番組表作成モジュール７７は、選択されている放送局を番組表の端に配列すると仮定した場合、第１グループＧ１の放送局を番組表に配列できるのかどうか判断する。
【００６１】
第１グループＧ１の放送局を番組表に配列できる場合（ステップＳ１２）、ステップＳ１３に移行し、ステップＳ１３において、番組表作成モジュール７７は、管理モジュール７６のパターンから、選択されている放送局を端に設定して第２グループＧ２の少なくとも１つの放送局と第１グループＧ１の少なくとも１つの放送局とを抽出し、ステップＳ５に移行する。
【００６２】
第１グループＧ１の放送局を番組表に配列できない場合（ステップＳ１２）、ステップＳ１４に移行し、ステップＳ１４において、番組表作成モジュール７７は、管理モジュール７６のパターンから、選択されている放送局を中心に設定して第２グループＧ２の放送局のみを抽出し、ステップＳ５に移行する。
【００６３】
次に、上述した番組表作成方法に沿って番組表を作成する具体例をいくつか挙げる。  
図１、図３及び図５に示すように、Ｈ放送局が選択されている場合、ステップＳ４に示したように、番組表作成モジュール７７は、管理モジュール７６のパターンＰ１から、Ｈ放送局を中心に設定して第１抽出グループＥＧ１を抽出することができる。第１抽出グループＥＧ１は、第１グループＧ１のＥ、Ｆ、Ｇ、Ｈ、Ｉ、Ｊ及びＫの放送局である。  
これにより、図９に示すように、第１グループＧ１の放送局のみ配列した番組表ＰＴ１を表示器１４に表示することができる。そして、選択されているＨ放送局を中央に配列することができる。
【００６４】
図１、図３及び図６に示すように、Ｋ放送局が選択されている場合、ステップＳ７に示したように、番組表作成モジュール７７は、管理モジュール７６のパターンＰ１から、Ｌ放送局を端に設定して第２抽出グループＥＧ２を抽出することができる。第２抽出グループＥＧ２は、第１グループＧ１のＦ、Ｇ、Ｈ、Ｉ、Ｊ、Ｋ及びＬの放送局である。  
これにより、図１０に示すように、第１グループＧ１の放送局のみ配列した番組表ＰＴ２を表示器１４に表示することができる。
【００６５】
図１、図３及び図６に示すように、Ｂ放送局が選択されている場合、ステップＳ８に示したように、番組表作成モジュール７７は、管理モジュール７６のパターンＰ１から、Ａ放送局を端に設定して第３抽出グループＥＧ３を抽出することができる。第３抽出グループＥＧ３は、第１グループＧ１のＡ、Ｂ、Ｃ、Ｄ、Ｅ、Ｆ及びＧの放送局である。  
これにより、図１１に示すように、第１グループＧ１の放送局のみ配列した番組表ＰＴ３を表示器１４に表示することができる。
【００６６】
図１、図４及び図８に示すように、Ｋ放送局が選択されている場合、ステップＳ１３に示したように、番組表作成モジュール７７は、管理モジュール７６のパターンＰ２から、Ｋ放送局を端に設定して第４抽出グループＥＧ４を抽出することができる。第４抽出グループＥＧ４は、第２グループＧ２のＭ、Ｃ及びＫの放送局と、第１グループＧ１のＦ、Ｇ、Ｈ及びＩの放送局である。  
これにより、図１２に示すように、第１グループＧ１の放送局が最多となるよう配列した番組表ＰＴ４を表示器１４に表示することができる。
【００６７】
以上のように構成された一実施形態に係るテレビジョン受像機１及び番組表作成方法によれば、第１グループＧ１の複数の放送局と第２グループＧ２の少なくとも１つの放送局とのローテーションのパターンが管理されている。そして、第１グループＧ１の複数の放送局が優先的に抽出されるよう、上記パターンから、選択されている放送局を含む連続して並んだ複数の放送局を抽出し、抽出した複数の放送局の番組表を作成している。
【００６８】
このため、番組表を作成する際、リモートコントロールキーＩＤに割当てられている放送局が優先的に配列した番組表を作成することができる。これにより、リモートコントロールキーＩＤに割当てられている放送局が優先的に配列した番組表を表示することができる。リモートコントロールキーＩＤに割当てられている放送局は、ユーザがよく視聴する放送局であるため、ユーザの欲しい放送局の番組情報をより多く表示することができる。
【００６９】
上記したことから、リモートコントロールキーＩＤに割当てられている放送局を優先的に番組表に配列させることができるテレビジョン受像機１及び番組表作成方法を得ることができる。
【００７０】
なお、この発明は上記実施形態そのままに限定されるものではなく、実施段階ではその要旨を逸脱しない範囲で構成要素を変形して具体化可能である。また、上記実施形態に開示されている複数の構成要素の適宜な組み合わせにより、種々の発明を形成できる。例えば、実施形態に示される全構成要素から幾つかの構成要素を削除してもよい。
【００７１】
例えば、図１３に示すように、管理モジュール７６はさらに他のパターンＰ３を管理していてもよい。パターンＰ３は、規格の推奨の順番で並べられている複数の放送局のローテーションのパターンである。この場合、第１グループＧ１の複数の放送局は、複数のリモートコントロールキーＩＤの番号順に並べられていなくともよい。
【００７２】
複数のリモートコントロールキーＩＤは６８に記憶されているが、これに限定されるものではなく種々変形可能であり、例えば他のメモリに記憶されていてもよい。  
例えば、上述したモジュールとは、ハードウェアで実現するものであっても良いし、ＣＰＵ等を使ってソフトウェアで実現するものであってもよい。
【００７３】
上記実施形態の放送受信装置は、上記テレビジョン受像機１に限定されるものではなく、各種のテレビジョン受像機に適用可能である。また、上記実施形態の放送受信装置は、ＨＤＤレコーダ及びＤＶＤレコーダなどの録画機器にも適用可能である。
【００７４】
以上説明した実施の形態によれば、リモートコントロールキーＩＤに割当てられている放送局を優先的に番組表に配列させることができる放送受信装置及び番組表作成方法を得ることができる。
【符号の説明】
【００７５】
１…テレビジョン受像機、１４…表示器、１７…リモートコントローラ、１７ｆ…番号キー、１７ｉ，１７ｙ…ＥＰＧボタン、１８…受光モジュール、４９，５４…チューナ、５０…ＰＳＫ復調モジュール、５１…信号処理モジュール、５５…ＯＦＤＭ復調モジュール、６５…制御モジュール、６８…不揮発性メモリ、７５…取得モジュール、７６…管理モジュール、７７…番組表作成モジュール、Ｐ１，Ｐ２，Ｐ３…パターン、Ｇ１…第１グループ、Ｇ２…第２グループ、ＰＴ１，ＰＴ２，ＰＴ３，ＰＴ４…番組表。
【図１】
0005444105.tif 000002
【図２】
0005444105.tif 000003
【図３】
0005444105.tif 000004
【図４】
0005444105.tif 000005
【図５】
0005444105.tif 000006
【図６】
0005444105.tif 000007
【図７】
0005444105.tif 000008
【図８】
0005444105.tif 000009
【図９】
0005444105.tif 000010
【図１０】
0005444105.tif 000011
【図１１】
0005444105.tif 000012
【図１２】
0005444105.tif 000013
【図１３】
0005444105.tif 000014